(57)【要約】【課題】  移動体で受信している放送局の放送映像を確実に録画することができる放送映像録画システムを提供する。【解決手段】  放送番組収録システム１０は、移動体としての車両１で視聴している放送番組のビデオデータを車両１内の記憶部３に記憶し、この記憶したビデオデータを自宅６に送信し、自宅６に固定設置されたデータ収録装置８で収録する。これにより、車両１の現在位置と自宅６とで同じ放送局から受信できない場合であっても、自宅６のデータ収録装置８にて車両１で視聴している放送番組を確実に収録することができる。【選択図】        図１
2005142664.tif 000002
【特許請求の範囲】
【請求項１】
放送信号を受信する放送信号受信手段と、
映像、及び音声のデータからなる放送番組のデータを記憶する記憶手段と、
外部との移動通信を行う移動通信手段と、
前記放送信号受信手段の受信する放送信号に基づく放送番組のデータを前記記憶手段に記憶する処理を実行するとともに、前記記憶手段の記憶する放送番組のデータを読み出し、この読み出した放送番組のデータを前記移動通信手段から送信する処理を実行する制御手段とを備える移動体と、
前記移動通信手段から送信される放送番組のデータを受信する通信手段と、
放送番組を収録する収録手段と、
前記通信手段の受信する放送番組の映像、及び音声を前記収録手段に収録する処理を実行する収録制御手段とを備えることを特徴とする放送番組収録システム。
【請求項２】
前記放送番組のデータを記憶する指示を出す指示手段を備え、
前記制御手段は、前記指示手段の指示が出された場合に、前記放送番組のデータを前記記憶手段に記憶する処理を実行することを特徴とする請求項１記載の放送番組収録システム。
【請求項３】
前記制御手段は、所定時間毎に前記記憶手段の記憶する放送番組のデータを読み出して、この読み出した放送番組のデータを前記移動通信手段から送信する処理を実行することを特徴とする請求項１又は２記載の放送番組収録システム。
【請求項４】
前記制御手段は、前記記憶手段の記憶する放送番組のデータを圧縮するデータ圧縮処理を実行し、前記データ圧縮処理の施した放送番組のデータを前記移動通信手段から送信する処理を実行させ、
前記通信手段は、前記データ圧縮処理の施された放送番組のデータを受信し、
前記収録制御手段は、前記通信手段の受信する前記圧縮処理の施された放送番組のデータをデータ圧縮前の放送番組のデータに戻すデータ解凍処理を実行し、前記データ解凍処理の施された放送番組の映像、及び音声を前記収録手段に収録する処理を実行することを特徴とする請求項１〜３のいずれか１項に記載の放送番組収録システム。
【請求項５】
前記制御手段は、前記指示手段の指示が出された場合に、前記収録手段の動作状態を検出する検出指示信号を生成する処理を実行し、前記検出指示信号を前記移動通信手段から送信する処理を実行し、
前記収録制御手段は、前記通信手段が前記検出指示信号を受信した場合に、前記収録手段の動作状態を検出する処理を実行し、前記検出した動作状態のデータを前記通信手段から前記移動通信手段へ送信する処理を実行し、
前記制御手段は、前記移動通信手段の受信する動作状態のデータに基づいて、前記収録手段が収録可能な状態であるか否かを判定する処理を実行し、この判定の結果、前記収録手段が収録可能な状態であると判定される場合に、前記記憶手段の記憶する放送番組のデータを前記移動通信手段から送信する処理を実行することを特徴とする請求項２〜４のいずれか１項に記載の放送番組収録システム。
【請求項６】
前記判定の結果、前記収録手段が収録不可能な状態であると判定される場合に、その旨を報知する報知手段を備えることを特徴とする請求項５記載の放送番組収録システム。
【請求項７】
前記移動体は、脱着可能な記憶媒体を有するモバイル記憶手段をさらに備え、
前記判定の結果、前記収録手段が収録不可能な状態であると判定される場合、前記制御手段は、前記記憶手段の記憶する放送番組のデータを読み出して、この読み出した放送番組のデータを前記モバイル記憶手段に記憶する処理を実行することを特徴とする請求項５又は６記載の放送番組収録システム。
【発明の詳細な説明】
【技術分野】
【０００１】
本発明は、放送番組収録システムに関するものである。
【背景技術】
【０００２】
従来、移動体で受信している放送番組を収録可能とする放送番組収録システムが提案されている（例えば、特許文献１参照。）。この特許文献１に開示されている放送番組収録システムによれば、例えば、自動車等の車両に搭載されるテレビにおいて受信する放送局のチャンネルのチャンネル情報をユーザの自宅に固定設置された放送番組収録装置に送信し、放送番組収録装置では、送信されたチャンネル情報を受信して、この受信したチャンネルに相当する放送局の放送番組を収録する。これにより、車両の位置と自宅とでチャンネルが異なっても、同じ放送局から受信可能である場合であれば、チャンネルを変換することで収録することができる。
【特許文献１】特開２００２−３００５０２号公報
【発明の開示】
【発明が解決しようとする課題】
【０００３】
しかしながら、車両の現在位置と自宅とで同じ放送局から受信できない場合には、車両に搭載されるテレビで受信する放送局の放送映像を自宅の録画装置によって録画することができない。
【０００４】
本発明は、かかる問題を鑑みてなされたもので、移動体で受信している放送局の放送映像を確実に録画することができる放送番組収録システムを提供することを目的とする。
【課題を解決するための手段】
【０００５】
請求項１に記載の放送番組収録システムは、放送信号を受信する放送信号受信手段と、映像、及び音声のデータからなる放送番組のデータを記憶する記憶手段と、外部との移動通信を行う移動通信手段と、放送信号受信手段の受信する放送信号に基づく放送番組のデータを記憶手段に記憶する処理を実行するとともに、記憶手段の記憶する放送番組のデータを読み出し、この読み出した放送番組のデータを移動通信手段から送信する処理を実行する制御手段とを備える移動体と、移動通信手段から送信される放送番組のデータを受信する通信手段と、放送番組を収録する収録手段と、通信手段の受信する放送番組の映像、及び音声を収録手段に収録する処理を実行する収録制御手段とを備えることを特徴とする。
【０００６】
このように、車両等の移動体で視聴している放送番組を、例えば自宅等に設置された収録手段に送信することで、例えば、移動体の現在位置と自宅とで同じ放送局から受信できない場合であっても、自宅の収録手段において移動体で視聴している放送番組を確実に収録することができる。これにより、自宅で受信可能な放送局によらず収録可能となる。
【０００７】
請求項２に記載の放送番組収録システムでは、放送番組のデータを記憶する指示を出す指示手段を備え、制御手段は、指示手段の指示が出された場合に、放送番組のデータを記憶手段に記憶する処理を実行することを特徴とする。これにより、車両等の移動体に乗車するユーザは、移動体にて視聴している放送番組を記憶手段に記憶させる指示を出すことができる。
【０００８】
請求項３に記載の放送番組収録システムでは、制御手段は、所定時間毎に記憶手段の記憶する放送番組のデータを読み出して、この読み出した放送番組のデータを移動通信手段から送信する処理を実行することを特徴とする。これにより、所定データ量の放送番組のデータを定期的に送信することができる。なお、記憶手段が大容量の記憶媒体を備える場合には、収録を希望する番組が終了するまでの放送番組のデータを記憶手段で記憶し、この記憶した放送番組のデータをまとめて移動通信手段から送信するようにしてもよい。
【０００９】
請求項４に記載の放送番組収録システムでは、制御手段は、記憶手段の記憶する放送番組のデータを圧縮するデータ圧縮処理を実行し、データ圧縮処理の施した放送番組のデータを移動通信手段から送信する処理を実行させ、通信手段は、データ圧縮処理の施された放送番組のデータを受信し、収録制御手段は、通信手段の受信する圧縮処理の施された放送番組のデータをデータ圧縮前の放送番組のデータに戻すデータ解凍処理を実行し、データ解凍処理の施された放送番組の映像、及び音声を収録手段に収録する処理を実行することを特徴とする。これにより、送信する放送番組のデータのデータ量が少なくなるため、通信コストの低減を図ることができる。
【００１０】
請求項５に記載の放送番組収録システムでは、制御手段は、指示手段の指示が出された場合に、収録手段の動作状態を検出する検出指示信号を生成する処理を実行し、検出指示信号を移動通信手段から送信する処理を実行し、収録制御手段は、通信手段が検出指示信号を受信した場合に、収録手段の動作状態を検出する処理を実行し、検出した動作状態のデータを通信手段から移動通信手段へ送信する処理を実行し、制御手段は、移動通信手段の受信する動作状態のデータに基づいて、収録手段が収録可能な状態であるか否かを判定する処理を実行し、この判定の結果、収録手段が収録可能な状態であると判定される場合に、記憶手段の記憶する放送番組のデータを移動通信手段から送信する処理を実行することを特徴とする。
【００１１】
すなわち、例えば、自宅等に設置される収録手段の電源が投入されていない場合、記憶媒体が収録手段にセットされていない場合には、移動体で視聴している放送番組のデータを自宅に送信しても、自宅の収録手段によって録画することができない。従って、収録手段が収録可能な状態である場合に放送番組のデータを送信することで、自宅の収録手段にて確実に収録することができる。
【００１２】
請求項６に記載の放送番組収録システムでは、判定の結果、収録手段が収録不可能な状態であると判定される場合に、その旨を報知する報知手段を備えることを特徴とする。これにより、移動体に乗車するユーザは、自宅の収録手段で収録できないことを把握することができる。
【００１３】
請求項７に記載の放送番組収録システムでは、移動体は、脱着可能な記憶媒体を有するモバイル記憶手段をさらに備え、判定の結果、収録手段が収録不可能な状態であると判定される場合、制御手段は、記憶手段の記憶する放送番組のデータを読み出して、この読み出した放送番組のデータをモバイル記憶手段に記憶する処理を実行することを特徴とする。これにより、自宅の収録手段で収録できない場合であっても、移動体で視聴している放送番組を記憶することができる。
【発明を実施するための最良の形態】
【００１４】
以下、本発明の実施形態における放送番組収録システムについて、図面に基づいて説明する。図１に、本実施形態の放送番組収録システムの概略構成を示す。同図に示すように、本実施形態の放送番組収録システム１０は、車両１、車両１に搭載される表示部２、記憶部３、制御部４、通信部５、車両１を所有するユーザの自宅６に固定設置されたデータ制御装置７、データ収録装置８、及び基地局９とによって構成される。
【００１５】
表示部２は、例えば、タッチパネルの採用されるテレビ等であり、図示しない電源スイッチ、選局スイッチ、アンテナ、モニタ、スピーカ等によって構成され、アンテナにより放送信号を受信し、モニタに対して、選局スイッチにより設定されたチャンネルの放送局による放送番組の映像を映すとともに、スピーカに対して、その放送番組の音声を出力する。
【００１６】
なお、車両１には、図示しないナビゲーション装置が搭載され、表示部２のモニタには、ナビゲーション装置から出力される地図等も表示される。また、表示部２には、映像信号、及び音声信号からなるビデオ信号を出力する出力端子が設けられており、この出力端子に接続される信号線の一方は、制御部４に接続される。
【００１７】
制御部４は、コンピュータとして構成されるもので、いずれも周知のＣＰＵ、メモリ、Ｉ／Ｏ、及びこれらを接続するバス等によって構成される。メモリは、ＲＡＭ、ＲＯＭ、ＥＥＰＲＯＭなどから構成され、ＲＯＭには、制御部４が動作するための制御プログラムが記憶されている。ＣＰＵは、この制御プログラムに従って実行する。また、制御部４には、ＤＡＴやメモリーカード等を記憶媒体とする記憶装置（図示しない）が接続される。
【００１８】
さらに、制御部４は、表示部２のモニタ上に表示される録画スイッチ（以下、録画ＳＷ）がタッチ操作により押下されると、表示部２の出力端子から出力されるビデオ信号を入力し、この入力したビデオ信号をデジタル変換する。そして、このデジタル変換したビデオデータを記憶部３に記憶する処理を実行する。
【００１９】
また、制御部４は、データ収録装置８の動作状態を検出する指示を出すための検出指示信号を生成して、通信部５を介して自宅６のデータ制御装置７へ送信する。記憶部３は、制御部４からのビデオデータを記憶する記憶装置であり、読み書き可能な大容量の記憶媒体（例えば、ＤＶＤ−ＲＷ、ＤＶＤ−ＲＡＭ、ハードディスク等）が採用される。
【００２０】
通信部５は、例えば、無線通信機等であり、基地局９を介して自宅６と通信接続するものである。この通信部５は、制御部４から送られるビデオデータを基地局９を介して自宅６に設置されるデータ制御装置７に送信する。なお、制御部４は、送信するビデオデータのデータ量を少なくするために、圧縮処理を施したビデオデータを通信部５へ送信する。
【００２１】
自宅６に設置されるデータ制御装置７は、コンピュータとして構成されるとともに、基地局９との通信接続を可能にする通信機としての機能を備える。このデータ制御装置７は、通信部５から送信されるビデオデータを受信する。そして、圧縮処理されたビデオデータを元のビデオデータに戻すためのデータ解凍処理や所定の処理を施す。これらの処理により、受信したビデオデータは、映像信号、及び音声信号からなるビデオ信号に変換される。この変換後のビデオ信号は、データ収録装置８に出力する。
【００２２】
また、データ制御装置７は、通信部５からの検出指示信号を受信した場合、データ収録装置８の動作状態（例えば、電源ＯＮ／ＯＦＦ、記憶媒体のセットされている／セットされていない等）を検出し、この検出した動作状態のデータを基地局９を介して通信部５へ送信する。データ収録装置８は、データ制御装置７からのビデオ信号を収録するものであり、データ制御装置７からの指示に応じてビデオ信号の収録を開始／終了する。
【００２３】
上述の構成による本実施形態の放送番組収録システム１０の動作について、図２、図３に示すフローチャートを用いて説明する。なお、図２は、車両１における放送番組の収録処理を示すフローチャートであり、図３は、自宅６における放送番組の収録処理を示すフローチャートである。
【００２４】
先ず、図２に示すステップ（以下、単にＳと記す）１０では、車両１に乗車するユーザによって、表示部２のモニタ上に表示される録画ＳＷを押下されると、Ｓ２０において、表示部２に表示される映像信号、及び音声信号のビデオデータを記憶部３に記憶させる。これにより、車両１に乗車するユーザは、例えば、表示部２で視聴している放送番組を記憶部３に記憶させることができる。なお、ビデオデータの記憶の開始と同時に時間経過のカウントを開始する。
【００２５】
Ｓ３０では、データ収録装置８の動作状態を取得する。Ｓ４０では、Ｓ３０にて取得したデータ収録装置８の動作状態が収録可能な状態であるか否かを判定する。ここで、肯定判定される（収録可能である）場合にはＳ６０へ処理を進め、否定判定される（収録不可能である）場合にはＳ５０へ処理を移行する。
【００２６】
すなわち、自宅６に設置されるデータ収録装置８の電源が投入されていない場合や記憶媒体がセットされていない場合には、車両１で視聴している放送番組のビデオデータを自宅６に送信しても、自宅６のデータ収録装置８で収録することができない。従って、データ収録装置８が収録可能な状態である場合にビデオデータを送信することで、自宅６のデータ収録装置８にて確実に放送番組を収録することができる。
【００２７】
Ｓ５０では、表示部２のモニタ上に自宅６のデータ収録装置８にて収録できない旨の内容を表示する。これにより、車両１に乗車するユーザは、自宅６のデータ収録装置８で収録できないことを把握することができる。
【００２８】
Ｓ６０では、ビデオデータの記憶を開始してから所定時間経過したか否かを判定する。ここで、肯定判定される場合にはＳ８０へ処理を進め、否定判定される場合にはＳ７０に処理を進め、ビデオデータの記憶を継続する。
【００２９】
ビデオデータの記憶を開始してから所定時間経過すると、Ｓ８０では、記憶部３に記憶されるビデオデータを所定の圧縮率で圧縮し、この圧縮したビデオデータを通信部５を介してデータ制御装置７へ送信する。
【００３０】
このように、圧縮処理したビデオデータを送信することで、送信するデータ量を少なくすることができる。その結果、通信コストの低減を図ることができる。また、所定時間経過する毎に記憶部３に記憶されるビデオデータをデータ制御装置７へ送信するため、所定データ量のビデオデータが定期的にデータ制御装置７へ送信されるようになる。
【００３１】
一方、図３に示すＳ１００では、通信部５から送信されるビデオデータを受信したか否かを判定する。ここで、肯定判定される場合にはＳ１１０へ処理を進め、否定判定される場合には、ビデオデータを受信するまで待機状態を保持する。
【００３２】
Ｓ１１０では、受信したビデオデータを圧縮前のビデオデータに戻すための解凍処理を施す。そして、解凍後のビデオデータを映像信号と音声信号からなるビデオ信号に変換して、データ収録装置８へ出力する。Ｓ１２０では、データ制御装置７からのビデオ信号の映像、及び音声を収録する。
【００３３】
このように、本実施形態における放送番組収録システム１０は、車両１で視聴している放送番組のビデオデータを車両１内の記憶部３に記憶し、この記憶したビデオデータを自宅６に送信し、自宅６に固定設置されたデータ収録装置８で収録する。これにより、車両１の現在位置と自宅６とで同じ放送局から受信できない場合であっても、自宅６のデータ収録装置８にて車両１で視聴している放送番組を確実に収録することができる。
【００３４】
（変形例１）
本実施形態では、所定時間毎にビデオデータを自宅６へ送信しているが、例えば、記憶部３が大容量の記憶媒体を備える場合には、収録を希望する番組が終了するまでの放送番組のビデオデータを記憶部３で記憶し、番組が終了した後に記憶した放送番組のビデオデータをまとめて自宅６へ送信するようにしてもよい。
【００３５】
（変形例２）
本実施形態では、図２に示したＳ４０にてデータ収録装置８が収録不可能と判定される場合、収録できない旨の内容を表示して終了しているが、収録不可能と判定される場合に、記憶部３に記憶するビデオデータを読み出して、この読み出したビデオデータをＤＡＴやメモリーカード等に記憶するようにしてもよい。
【００３６】
すなわち、図３のフローチャートに示すように（Ｓ１０〜Ｓ３０の処理は本実施形態と同様であるので説明を省略）、Ｓ４０において、Ｓ３０にて取得したデータ収録装置８の動作状態が収録可能な状態であるか否かを判定し、否定判定される（収録不可能である）場合にはＳ５０にて表示部２のモニタ上に自宅６のデータ収録装置８にて収録できない旨の内容を表示する。Ｓ５５では、記憶部３に記憶したビデオデータを読み出して、この読み出したビデオデータをＤＡＴ等に記憶する。なお、ビデオデータの読み出しは、収録を希望する番組が終了した後に行う。
【００３７】
このように、持ち運びに適した脱着可能なＤＡＴやメモリーカード等の記憶媒体にビデオデータを記憶することで、自宅６のデータ収録装置８が収録不可能な状態である場合でも、車両１にて視聴している放送番組を収録することができる。なお、記憶媒体としては、ＤＡＴやメモリカード等の持ち運びに適した記憶媒体であれば、特に限定されるものではない。
【図面の簡単な説明】
【００３８】
【図１】本発明の実施形態に係わる、放送番組収録システム１０の概略構成を示すブロック図である。
【図２】本発明の実施形態に係わる、車両１における放送番組の収録処理を示すフローチャートである。
【図３】本発明の実施形態に係わる、自宅６における放送番組の収録処理を示すフローチャートである。
【図４】本発明の実施形態の変形例２に係わる、放送番組の収録処理の流れを示すフローチャートである。
【符号の説明】
【００３９】
１  車両
２  表示部
３  記憶部
４  制御部
５  通信部
６  自宅
７  データ制御装置
８  データ収録装置
９  基地局
１０  放送番組収録システム
【図１】
2005142664.tif 000003
【図２】
2005142664.tif 000004
【図３】
2005142664.tif 000005
【図４】
2005142664.tif 000006